(57)【特許請求の範囲】
【請求項１】
太陽光の受光面を備えて太陽光の熱を集熱する集熱器を有し、該集熱器は液体導入口と液体導出口と前記受光面の下側に設けられた内部液体通路とを有して、前記液体導入口から導入される液体を前記内部液体通路に通して前記液体導出口から導出する構成と成しており、前記集熱器で集熱された液体の温度を検出する集熱器内液温検出手段と、前記集熱器の外部に設けられて該集熱器内の液体を循環させる液体循環通路と、該液体循環通路に介設された液体循環ポンプと、前記液体循環通路と熱的に接続された貯湯槽と、該貯湯槽内の湯水の温度を検出する貯湯槽内湯水温検出手段と、該貯湯槽内湯水温検出手段の検出温度よりも前記集熱器内液温検出手段の検出温度が予め定められたポンプ駆動設定温度以上高いときに前記液体循環ポンプを駆動させて前記液体循環通路内の液体を循環させ、前記貯湯槽内の湯水と前記液体循環通路内の液体とを熱交換することにより前記貯湯槽内の湯水を加熱する集熱運転を行い、前記貯湯槽内湯水温検出手段の検出温度と前記集熱器内液温検出手段の検出温度との差が予め定められたポンプ停止設定温度以下になったときに前記液体循環ポンプを停止して集熱運転を停止する集熱利用貯湯槽湯水加熱制御手段とを有しており、前記集熱運転の停止から予め定められた設定経過時間が経過した以降に前記集熱運転が開始されたときには前記液体循環ポンプのオンオフ回数を検出するポンプオンオフ回数検出手段と、該ポンプオンオフ回数検出手段により検出した検出回数が予め定められた設定回数以上となったときには前記液体循環ポンプを予め定められた設定待機時間が経過するまで一時停止して前記集熱器内の水蒸気を前記内部液体通路における前記液体導出口寄りに集め、前記設定待機時間が経過した後に前記液体循環ポンプを再駆動することにより前記集熱器内の水蒸気を該集熱器の液体導出口側から外部に導出する蒸気抜き動作を予め定められた設定回数以上行う蒸気抜き制御手段を有することを特徴とする熱源装置。
【請求項２】
集熱器の内部液体通路は、該集熱器の一端側から他端側に向けて伸設されて互いに間隔を介して複数並設された並設通路と、該複数の並設通路の共通の一端側に連通させて該並設通路の伸設方向と交わる方向に伸設された液体導入用通路と、前記複数の並設通路の共通の他端側に連通させて該並設通路の伸設方向と交わる方向に伸設された液体導出用通路とを有して、前記液体導入用通路の片端部は前記集熱器の液体導入口に接続され、前記液体導出用通路の片端部は前記集熱器の液体導出口に接続されており、前記液体導入口から導入される液体を前記液体導入用通路に導入して該液体導入用通路から前記並設通路のそれぞれに導入し、該並設通路のそれぞれを通過した液体を前記液体導出用通路を介して前記液体導出口から導出する構成と成しており、蒸気抜き制御手段は蒸気抜き動作時に液体循環ポンプを設定待機時間停止することによって前記集熱器内の水蒸気を該集熱器の前記並設通路の他端側と液体導出用通路とに集め、前記設定待機時間が経過した後に前記液体循環ポンプを再駆動することにより前記集熱器内の水蒸気を該集熱器の液体導出口側から外部に導出することを特徴とする請求項１記載の熱源装置。
【請求項３】
集熱器は複数配設され、隣り合う集熱器の液体導入用通路同士が液体導入用の接続路を介して接続され、隣り合う集熱器の液体導出用通路同士が液体導出用の接続路を介して接続されて集熱器ユニットが形成され、該集熱器ユニットの集熱器のうち一つの集熱器の液体導入口が液体循環通路の往路に接続されて別の一つの集熱器の液体導出口が液体循環通路の戻り路に接続されており、前記液体循環通路の往路に接続された集熱器の液体導入口から導入される液体を複数配設された前記集熱器のそれぞれの前記液体導入用通路に前記接続路を介して通して前記液体導入用通路に接続されている複数の並設通路のそれぞれに導入し、該複数の並設通路のそれぞれを通った液体を該複数の並設通路に接続されている液体導出用通路に通し前記液体循環通路の戻り路に接続された液体導出口から導出する構成と成していることを特徴とする請求項２記載の熱源装置。
【請求項４】
集熱器内液温検出手段は、集熱器内の液体導出口寄りで該液体導出口とは間隔を介した位置に設けられており、蒸気抜き制御手段は蒸気抜き動作を設定回数以上行う代わりに、前記集熱器内液温検出手段の検出温度を取り込んでその検出温度が予め定められた水蒸気有り判断設定温度より低くなったときに蒸気抜き動作を停止することを特徴とする請求項１または請求項２または請求項３記載の熱源装置。
【発明の詳細な説明】
【技術分野】
【０００１】
本発明は、太陽光の熱を集める集熱器を備えた太陽熱利用の熱源装置に関するものである。
【背景技術】
【０００２】
近年、図７に示すように、住宅の屋根の上に太陽光の熱を集熱する集熱器（コレクター）１を配置することが行われるようになり（例えば、特許文献１、参照）、集熱器１と貯湯槽２とを液体循環通路３を介して熱的に接続し、集熱器１で集めた熱を貯湯槽２に蓄える構成を備えた熱源装置が用いられるようになった。
【０００３】
図３には、太陽熱を利用して貯湯槽を加熱する構成を備えた熱源装置の一例が、模式的なシステム構成図により示されている。この熱源装置は、貯湯槽２を備えたタンクユニット５０を有し、貯湯槽２には、その側面に、該貯湯槽２内の湯水の温度を検出する貯湯槽内湯水温検出手段４が設けられている。タンクユニット５０の外側（例えば屋根上）に、太陽光の受光面を備えた集熱器１（１ａ，１ｂ）が設けられ、集熱器１は、該集熱器１の外部に設けられた液体循環通路（熱媒循環通路）３を介して前記貯湯槽２と熱的に接続されている。なお、集熱器１は、一般に、図７に示したように、太陽光の受光面を屋根と同じ傾斜（例えば０〜３０°の角度）として配設されている。液体循環通路３には、シスターン３７と液−液熱交換器２８と液体循環ポンプ５とが介設されており、シスターン３７には、該シスターン３７内の液体（熱媒）の液位を検出するための電極３８が設けられ、大気開放通路３９に接続されている。
【０００４】
液体循環ポンプ５の駆動によって、集熱器１内の不凍液などの液体（熱媒）が、図の矢印Ａ方向に循環し、液体循環ポンプ５の吐出口側から集熱器１側に向けて液体を通す往路３ａと、集熱器１から導出される液体を液体循環ポンプ５に戻す戻り路３ｂとを通して循環する。また、これらの往路３ａと戻り路３ｂとをバイパスするバイパス路３ｃが、三方弁により形成された切り替え弁２０を介して接続されており、切り替え弁２０の切り替えによって、液体循環通路３内の液体を、貯湯槽２と集熱器１の両方を通して循環させる経路と、貯湯槽２とバイパス通路３ｃとを通して循環させる経路とのいずれかに選択的に切り替えられる。戻り路３ｂには、バイパス路３ｃの接続部よりも下流側に、熱媒戻り温度センサ２１が設けられている。
【０００５】
集熱器１は液体導入口６と液体導出口７と前記受光面の下側に設けられた内部液体通路８（図６参照）とを有して、液体導入口７から導入される液体を内部液体通路８に通して液体導出口７から導出する構成と成している。集熱器１ｂ内には、集熱器１で集熱された液体の温度を検出する集熱器内液温検出手段９が設けられている。
【０００６】
図６（ａ）には、集熱器１の内部液体通路８の構成例が示されている。この例では、集熱器１は複数（ここでは集熱器１ａと集熱器１ｂとの２つ）配列されており、各集熱器１の内部液体通路８は、集熱器１の一端側から他端側に向けて伸設されて互いに間隔を介して複数並設された並設通路１０と、該複数の並設通路１０の共通の一端側に連通させて該並設通路の伸設方向と交わる方向に伸設された液体導入用通路１１と、前記複数の並設通路１０の共通の他端側に連通させて該並設通路１０の伸設方向と交わる方向に伸設された液体導出用通路１２とを有している。
【０００７】
また、隣り合う集熱器１の液体導入用通路１１同士が液体導入用の接続路１３を介して接続され、隣り合う集熱器１の液体導出用通路１２同士が液体導出用の接続路１４を介して接続されて集熱器ユニット１５が形成されている。集熱器ユニット１５の集熱器１のうち、一つの（ここでは右側の）集熱器１ａの液体導入口６が液体循環通路３の往路３ａに接続されて、別の一つの（ここでは左側の）集熱器１ｂの液体導出口７が液体循環通路３の戻り路３ｂに接続されている。
【０００８】
前記の如く、液体循環ポンプ５の駆動により液体循環通路３の液体を循環させると、液体循環通路３の往路３ａに接続された集熱器１ａの液体導入口６から液体が導入される。そして、この液体が、図６（ｂ）の矢印に示すように、複数配設された集熱器１（１ａ，１ｂ）のそれぞれの液体導入用通路１１に通され（集熱器１ｂの液体導入用通路１１には接続路１３を介して通され）、液体導入用通路１１に接続されているそれぞれの並設通路１０に導入される。そして、この並設通路１０のそれぞれを通った液体が、該並設通路１０に接続されている液体導出用通路１２に通され、液体循環通路３の戻り路３ｂに接続された、集熱器１ｂの液体導出口７から導出される構成と成している。なお、図６（ａ）では、液体が導入されている領域をグレーゾーンにより示しており、図６（ｂ）では、このグレーゾーンの図示を省略している。
【０００９】
また、図３に示す熱源装置には、その制御装置（図示せず）内に集熱利用貯湯槽湯水加熱制御手段が設けられている。この集熱利用貯湯槽湯水加熱制御手段は、例えば前記貯湯槽内湯水温検出手段４のうち最下部に設けられた貯湯槽内湯水温検出手段４ａの検出温度よりも前記集熱器内液温検出手段９の検出温度が予め定められたポンプ駆動設定温度（例えば７℃）以上高いときに、前記液体循環ポンプ５を駆動させて、前記液体循環通路３内の液体を図の矢印Ａに示すように循環させ、貯湯槽２内の湯水と液体循環通路３内の液体とを熱交換することにより、貯湯槽２内の湯水を加熱する集熱運転を行う。
【００１０】
また、この集熱運転によって、貯湯槽２内の湯水が加熱されることによって、貯湯槽内湯水温検出手段４ａの検出温度と集熱器内液温検出手段９の検出温度との差が予め定められたポンプ停止設定温度（例えば４℃）以下になったときに、液体循環ポンプ５を停止して集熱運転を停止する。この集熱運転制御によって、例えば日中は集熱運転が行われ、日没後、集熱運転が停止される。
【００１１】
なお、貯湯槽２には、その上部に貯湯槽２の湯を外部に給湯する給湯路１６が接続され、貯湯槽２の下部には貯湯槽２への給水路１７が接続されており、給水路１７と給湯路１３とは、バイパス通路１８および混合弁１９を介して接続されている。バイパス通路１８には逆止弁３５が介設され、給水路１７には、手動で操作される給水元３０、水フィルタ３１、減圧弁３２、入水温度センサ３３、逆止弁３４が介設され、給水路１７から分岐した排水通路４０には排水電磁弁３６が設けられている。
【００１２】
混合弁１９の下流側の給湯路１６には流量センサ２２、湯水温検出センサ２３，２４が介設され、補助熱源装置２５が熱的に接続されており、同図には図示されていないが、補助熱源装置２５には、給湯路１６を通して補助熱源装置２５に導入される湯水を例えばバーナにより加熱する給湯熱交換器や、バーナへの燃料（ガスや石油の）供給通路、バーナへの給排気を行う燃焼ファン等が適宜設けられる。なお、補助加熱手段２５は、電気式温水器としてもよいし、省略してもよい。ただし、補助熱源装置２５を設けることにより、例えば貯湯槽２内の湯水温が給湯の設定温度よりも低い場合に、その湯水を給湯路１６を通して補助熱源装置２５に導入し、その湯水を設定温度に高めることができる。
【００１３】
また、補助熱源装置２５には、浴槽２６に接続された湯水循環通路２７が設けられており、図示されていない湯水循環ポンプの駆動によって湯水循環通路２７を通して浴槽湯水を循環させることができる。湯水循環通路２７は、液−液熱交換器２８を介して前記液体循環通路３に熱的に接続されており、湯水循環通路２７を循環させる湯水温よりも高温の液体を湯水循環通路３を通して循環させることによって、湯水循環通路２７を循環させる湯水と湯水循環通路３を循環させる液体とを、液−液熱交換器２８を介して熱交換し、浴槽湯水の追い焚きを行うことができる。湯水循環通路２７には、湯水循環通路２７を循環する湯水の温度を検出する湯水温検出センサ４８，２９が介設されている。
【先行技術文献】
【特許文献】
【００１４】
【特許文献１】特開２００４−２０５０６２号公報
【発明の概要】
【発明が解決しようとする課題】
【００１５】
ところで、図３に示したような熱源装置において、前記集熱利用貯湯槽湯水加熱制御手段は、貯湯槽内湯水温検出手段４ａの検出温度が例えば９０℃といったポンプ停止設定温度以上になったときには、液体循環ポンプ５を停止して液体循環通路３の液体の循環を停止するようにしているが、図７に示したように、液体循環ポンプ５と集熱器１との高低差によって集熱器１の配設領域は負圧となることから、集熱器１内の液体は沸騰しやすく、例えば日中の太陽光を集熱器１が受光しているときに液体循環ポンプ５を停止すると、集熱器１内の液体は沸騰して集熱器１の内部液体通路８内に水蒸気が生じ、図８（ａ）の白抜き領域に示されるように、集熱器１の内部液体通路８内が水蒸気でほぼ満たされることになる。
【００１６】
この後、貯湯槽２内の湯が使用されて貯湯槽内湯水温検出手段４ａの検出温度が前記ポンプ停止設定温度（例えば９０℃）より低下すると、集熱器内液温検出手段９の検出温度が貯湯槽内湯水温検出手段４ａの検出温度よりも前記ポンプ駆動設定温度（例えば７℃）以上高くなって液体循環ポンプ５の駆動が再開されるが、このとき、図８（ｂ）に示すように、集熱器１内に導入された液体の例えば液体導出口７側に一番近い並設通路１０にある液体が液体導出口７側に流れると、その新たに送り込まれる液体によって集熱器１ｂの温度が下がり、この温度低下によって集熱器１ｂ内の水蒸気はやがてなくなるが、液体導出口７から遠い側の通路、つまり、この図では、集熱器１ａの並設通路１０および液体導出用通路１２内の水蒸気と接続路１４内の水蒸気が、集熱器１ｂの液体導出用通路１２を流れる液体によって水封（液封）された状態となる。そうすると、この水蒸気が外部に導出されないまま残ってしまうことになり、この水蒸気で満たされている通路では集熱ができないため、集熱器１の集熱効率が低下してしまうといった問題があった。
【００１７】
本発明は、上記課題を解決するためになされたものであり、その目的は、集熱器による集熱運転停止前に集熱器内に水蒸気が溜まった場合に、運転再開時に水蒸気が集熱器内に留まることによる集熱器の集熱効率低下を防ぐことができて、太陽熱利用を効率的に行える熱源装置を提供することにある。
【課題を解決するための手段】
【００１８】
本発明は上記目的を達成するために、次の構成をもって課題を解決する手段としている。すなわち、第１の発明は、太陽光の受光面を備えて太陽光の熱を集熱する集熱器を有し、該集熱器は液体導入口と液体導出口と前記受光面の下側に設けられた内部液体通路とを有して、前記液体導入口から導入される液体を前記内部液体通路に通して前記液体導出口から導出する構成と成しており、前記集熱器で集熱された液体の温度を検出する集熱器内液温検出手段と、前記集熱器の外部に設けられて該集熱器内の液体を循環させる液体循環通路と、該液体循環通路に介設された液体循環ポンプと、前記液体循環通路と熱的に接続された貯湯槽と、該貯湯槽内の湯水の温度を検出する貯湯槽内湯水温検出手段と、該貯湯槽内湯水温検出手段の検出温度よりも前記集熱器内液温検出手段の検出温度が予め定められたポンプ駆動設定温度以上高いときに前記液体循環ポンプを駆動させて前記液体循環通路内の液体を循環させ、前記貯湯槽内の湯水と前記液体循環通路内の液体とを熱交換することにより前記貯湯槽内の湯水を加熱する集熱運転を行い、前記貯湯槽内湯水温検出手段の検出温度と前記集熱器内液温検出手段の検出温度との差が予め定められたポンプ停止設定温度以下になったときに前記液体循環ポンプを停止して集熱運転を停止する集熱利用貯湯槽湯水加熱制御手段とを有しており、前記集熱運転の停止から予め定められた設定経過時間が経過した以降に前記集熱運転が開始されたときには前記液体循環ポンプのオンオフ回数を検出するポンプオンオフ回数検出手段と、該ポンプオンオフ回数検出手段により検出した検出回数が予め定められた設定回数以上となったときには前記液体循環ポンプを予め定められた設定待機時間が経過するまで一時停止して前記集熱器内の水蒸気を前記内部液体通路における前記液体導出口寄りに集め、前記設定待機時間が経過した後に前記液体循環ポンプを再駆動することにより前記集熱器内の水蒸気を該集熱器の液体導出口側から外部に導出する蒸気抜き動作を予め定められた設定回数以上行う蒸気抜き制御手段を有する構成をもって課題を解決する手段としている。
【００１９】
また、第２の発明は、前記第１の発明の構成に加え、前記集熱器の内部液体通路は、該集熱器の一端側から他端側に向けて伸設されて互いに間隔を介して複数並設された並設通路と、該複数の並設通路の共通の一端側に連通させて該並設通路の伸設方向と交わる方向に伸設された液体導入用通路と、前記複数の並設通路の共通の他端側に連通させて該並設通路の伸設方向と交わる方向に伸設された液体導出用通路とを有して、前記液体導入用通路の片端部は前記集熱器の液体導入口に接続され、前記液体導出用通路の片端部は前記集熱器の液体導出口に接続されており、前記液体導入口から導入される液体を前記液体導入用通路に導入して該液体導入用通路から前記並設通路のそれぞれに導入し、該並設通路のそれぞれを通過した液体を前記液体導出用通路を介して前記液体導出口から導出する構成と成しており、蒸気抜き制御手段は蒸気抜き動作時に液体循環ポンプを設定待機時間停止することによって前記集熱器内の水蒸気を該集熱器の前記並設通路の他端側と液体導出用通路とに集め、前記設定待機時間が経過した後に前記液体循環ポンプを再駆動することにより前記集熱器内の水蒸気を該集熱器の液体導出口側から外部に導出することを特徴とする。
【００２０】
さらに、第３の発明は、前記第２の発明の構成に加え、前記集熱器は複数配設され、隣り合う集熱器の液体導入用通路同士が液体導入用の接続路を介して接続され、隣り合う集熱器の液体導出用通路同士が液体導出用の接続路を介して接続されて集熱器ユニットが形成され、該集熱器ユニットの集熱器のうち一つの集熱器の液体導入口が液体循環通路の往路に接続されて別の一つの集熱器の液体導出口が液体循環通路の戻り路に接続されており、前記液体循環通路の往路に接続された集熱器の液体導入口から導入される液体を複数配設された前記集熱器のそれぞれの前記液体導入用通路に前記接続路を介して通して前記液体導入用通路に接続されている複数の並設通路のそれぞれに導入し、該複数の並設通路のそれぞれを通った液体を該複数の並設通路に接続されている液体導出用通路に通し前記液体循環通路の戻り路に接続された液体導出口から導出する構成と成していることを特徴とする。
【００２１】
さらに、第４の発明は、前記第１または第２または第３の発明の構成に加え、前記集熱器内液温検出手段は、集熱器内の液体導出口寄りで該液体導出口とは間隔を介した位置に設けられており、蒸気抜き制御手段は蒸気抜き動作を設定回数以上行う代わりに、前記集熱器内液温検出手段の検出温度を取り込んでその検出温度が予め定められた水蒸気有り判断設定温度より低くなったときに蒸気抜き動作を停止することを特徴とする。
【発明の効果】
【００２２】
本発明のように、太陽光の熱を集熱する集熱器を備えた熱源装置においては、集熱器に接続されている液体循環通路内の液体を循環させて行われる集熱器による集熱運転の停止から、予め定められた設定経過時間が経過した以降に集熱運転が開始されたときに、集熱器内の通路が水蒸気で満たされていることがあるが、本発明によれば、このとき、液体循環ポンプのオンオフ回数を検出し、その検出回数が予め定められた設定回数以上となったときには、蒸気抜き制御手段が蒸気抜き動作を予め定められた設定回数以上行う。この蒸気抜き動作は、前記液体循環ポンプを予め定められた設定待機時間が経過するまで一時停止して前記集熱器内の水蒸気を前記内部液体通路における前記液体導出口寄りに集め、前記設定待機時間が経過した後に前記液体循環ポンプを再駆動することにより前記集熱器内の水蒸気を該集熱器の液体導出口側から外部に導出するものであり、この動作によって集熱器内から水蒸気が外部に導出されるので、前記のように、集熱器内の内部液体通路が水蒸気で満たされても、水蒸気が外部に導出されないまま残ってしまうことによる集熱器の集熱効率低下を防ぐことができる。
【００２３】
また、集熱器の内部液体通路を、複数の並設通路と、液体導入用通路と、液体導出用通路とを有するものとし、液体導入用通路の片端部を前記集熱器の液体導入口に接続し、液体導出用通路の片端部を前記集熱器の液体導出口に接続し、蒸気抜き制御手段が蒸気抜き動作時に液体循環ポンプを設定待機時間停止することによって前記集熱器内の水蒸気を該集熱器の前記並設通路の他端側と液体導出用通路とに集め、前記設定待機時間が経過した後に前記液体循環ポンプを再駆動することにより前記集熱器内の水蒸気を該集熱器の液体導出口側から外部に導出することにより、効率的に蒸気抜き動作を行うことができる。
【００２４】
さらに、集熱器を複数配設し、隣り合う集熱器の液体導入用通路同士を液体導入用の接続路を介して接続し、隣り合う集熱器の液体導出用通路同士を液体導出用の接続路を介して接続して集熱器ユニットを形成することにより、熱源装置による集熱能力を高めることができる。そして、集熱器ユニットの集熱器のうち一つの集熱器の液体導入口を液体循環通路の往路に接続し、別の一つの集熱器の液体導出口を液体循環通路の戻り路に接続し、液体を複数配設された集熱器のそれぞれの液体導入用通路に前記接続路を介して通して複数の並設通路のそれぞれに導入し、該複数の並設通路のそれぞれを通った液体を液体導出用通路に通し、液体循環通路の戻り路に接続された液体導出口から導出することによって、集熱器内に液体を効率的に通すことができる。
【００２５】
さらに、集熱器内液温検出手段を、集熱器内の液体導出口寄りで該液体導出口とは間隔を介した位置に設けると、その検出温度は、水蒸気があるときには非常に高く（例えば１８０℃以上に）なるので、蒸気抜き制御手段が蒸気抜き動作を設定回数以上行う代わりに、前記集熱器内液温検出手段の検出温度が予め定められた水蒸気有り判断設定温度より低くなったときに蒸気抜き動作を停止することによっても、前記と同様に、水蒸気が外部に導出されないまま残ってしまうことによる集熱器の集熱効率低下を防ぐことができる。
【図面の簡単な説明】
【００２６】
【図１】本発明に係る熱源装置の一実施例の制御構成を示すブロック図である。
【図２】実施例の熱源装置における集熱器の蒸気抜き動作例を説明するための模式的な説明図である。
【図３】熱源装置のシステム構成図例を示す説明図である。
【図４】集熱運転時の液体循環通路内の液体流量の時間的変化例を、集熱器内に水蒸気が残留していない状態（ａ）と残留している状態（ｂ）について模式的に示すグラフである。
【図５】熱源装置のその他の実施例についての説明図である。
【図６】熱源装置に設けられている集熱器内の内部液体通路の形態例を示す説明図である。
【図７】集熱器を備えた熱源装置のシステム構成の主要部を示す模式図である。
【図８】従来の太陽熱利用の熱源装置における問題点を説明するための説明図である。
【発明を実施するための形態】
【００２７】
以下、本発明の実施の形態を図面に基づき説明する。なお、本実施例の説明において、従来例と同一構成要素には同一符号を付し、その重複説明は省略または簡略化する。
【実施例】
【００２８】
本実施例の熱源装置は、図３に示したシステム構成を有しており、本実施例が従来例と異なる特徴的なことは、図１に示す特徴的な制御構成を設けたことである。同図に示すように、本実施例は、制御装置４１内に、集熱利用貯湯槽湯水加熱制御手段４２、時計機構４３、ポンプオンオフ回数検出手段４４、蒸気抜き制御手段４５を設けて構成されており、制御装置４１は、集熱器内液温検出手段９、貯湯槽内湯水温検出手段４ａ、液体循環ポンプ５に接続されている。
【００２９】
集熱利用貯湯槽湯水加熱制御手段４２は、集熱器内液温検出手段９の検出温度と貯湯槽内湯水温検出手段４ａの検出温度との差に応じて、従来例と同様に、液体循環ポンプ５の駆動制御を行い、それにより、集熱運転の開始、停止、再開を制御する。
【００３０】
ポンプオンオフ回数検出手段４４は、集熱利用貯湯槽湯水加熱制御手段４２の制御信号と時計機構４３により検出される時間信号とを取り込み、集熱運転の停止（液体循環ポンプ５の停止）から予め定められた設定経過時間（例えば３０分）が経過した以降に集熱運転が開始されたとき（液体循環ポンプ５の駆動再開時）には、液体循環ポンプ５のオンオフ回数を検出し、検出回数を蒸気抜き制御手段４５に加える。
【００３１】
例えば、図４（ａ）に示すように、日中、集熱器１による太陽光の集熱が行われて、集熱器１内を通る液体の温度が高くなり、液体循環ポンプ５の駆動が開始されると、一般には（前記集熱運転停止の条件とならないときには）、日没まで液体循環ポンプ５の駆動が行われて集熱運転が継続して行われる（液体循環ポンプ５のオン状態が継続され、液体循環通路３内の液体流量は安定した一定の流量となる）。
【００３２】
それに対し、図４（ｂ）に示すように、貯湯槽内湯水温検出手段４ａの検出温度が前記ポンプ停止設定温度（例えば９０℃）以上になって液体循環ポンプ５が停止した後、貯湯槽内湯水温検出手段４ａの検出温度が前記ポンプ停止設定温度より低下し、集熱運転が再開された際には、この液体循環ポンプ５の停止から再開までの間が前記設定経過時間以上の場合には、集熱器１内に水蒸気が残留しているために、液体循環ポンプ５のオンオフが頻繁に繰り返し行われ、図４（ｃ）に示すように、例えば１０分間に液体循環ポンプ５がオンオフを１０回以上繰り返し、液体循環通路３内の液体流量が安定しない状態となる。
【００３３】
そこで、このように、集熱運転の停止から前記設定経過時間が経過した以降に集熱運転が開始されたときに、液体循環ポンプ５のオンオフが繰り返し行われるときには、集熱器１内に水蒸気が残留していると考えられるため、蒸気抜き制御手段４５は、ポンプオンオフ回数検出手段４４により検出した検出回数が予め定められた設定回数（例えば１０回）以上となったときに、以下のような蒸気抜き動作を行う。
【００３４】
つまり、液体循環ポンプ５を予め定められた設定待機時間（例えば１０分間）が経過するまで一時停止して、集熱器１（１ａ，１ｂ）内の水蒸気を、図２（ａ）に示すように、集熱器１（１ａ，１ｂ）の並設通路１０の他端側と液体導出用通路１２とに集める。なお、図２では、内部液体通路８において、液体で満たされている領域をグレーゾーンにより示し、水蒸気で満たされている領域を白抜きにより示し、水蒸気の流れる方向を矢印により示している。
【００３５】
そして、前記設定待機時間が経過した後に液体循環ポンプ５を再駆動する動作を繰り返すことにより、図２（ｂ）に示すように、水蒸気を、集熱器１（１ａ，１ｂ）の並設通路１０のさらに他端側と液体導出用通路１２とに集め、集熱器１（１ａ，１ｂ）内の水蒸気を集熱器１ｂの液体導出口７側から外部に導出する蒸気抜き動作を、予め定められた設定回数以上行う。例えば現在用いられている集熱器１の高さＨ（例えば図２、参照）は、一般的には約８０ｃｍ〜約２ｍであり、この場合、設定回数は４回〜５回に定められる。
【００３６】
なお、前記蒸気抜き動作開始の判断のための液体循環ポンプ５のオンオフ回数は適宜設定されるものである。また、前記設定待機時間や蒸気抜き動の繰り返しの設定回数も、集熱器１の大きさや配設数、内部液体通路８の管路径や長さ等に応じて適宜設定されるものであり、例えば蒸気抜き動作の繰り返し設定回数は、集熱器１の高さＨに対応させて、高さＨが高くなるにつれて設定回数が多くなるように可変設定することが好ましく、例えば５ｍの高さの集熱器１の場合には、１４〜１８回（４回×３．６〜５回×３．６）とするとよい。集熱器１内の水蒸気が適切に外部に導出されるような時間や回数が、集熱器１の大きさや配設数等に応じて予め実験等により求めて決定され、設定される。
【００３７】
本実施例は、以上のように構成されており、集熱器１による集熱運転停止後、集熱運転再開時に集熱器１内に水蒸気が溜まっていたとしても、その水蒸気を集熱器１の外部に適切に導出してから集熱運転を再開することができるので、集熱器１の集熱効率低下を防ぐことができ、太陽熱利用を効率的に行うことができる。
【００３８】
なお、本発明は、前記実施例に限定されるものでなく、適宜設定されるものである。例えば、前記実施例では、集熱器１を２つ接続した集熱器ユニット１５を設けたが、集熱器ユニット１５を構成する集熱器１の個数は３つ以上でもよいし、その配設態様も並設とは限らず、適宜設定されるものである。
【００３９】
また、前記実施例では、蒸気抜き制御手段４５は、蒸気抜き動作を予め定められた設定回数行うようにしたが、蒸気抜き制御手段４５は、蒸気抜き動作を設定回数以上行う代わりに、例えば図５（ａ）に示すように、集熱器内液温検出手段９を集熱器１内の液体導出口７寄りで該液体導出口７とは間隔を介した位置（蒸気抜き動作を行わずに集熱運転を再開すると、水蒸気が抜けにくい位置）に設け、この集熱器内液温検出手段９の検出温度を取り込んで、その検出温度が予め定められた水蒸気有り判断設定温度（例えば１００℃）より低くなったときに蒸気抜き動作を停止するようにしてもよい。
【００４０】
なお、集熱器１を複数設ける場合には、それぞれの集熱器１毎に、図５（ｂ）に示すような位置に集熱器内液温検出手段９を設けると、それぞれの集熱器１に水蒸気が溜まった状態であるか否かを的確に判断でき、全ての集熱器内液温検出手段９の検出温度を取り込んで、その検出温度が前記水蒸気有り判断設定温度より低くなったときに蒸気抜き動作を停止することによって、集熱器ユニット１５の全ての集熱器１の水蒸気を的確に抜くことができるため、好ましい。
【００４１】
さらに、集熱器１は必ずしも複数設けるとは限らず、１つの集熱器１を有する熱源装置としてもよい。この場合、例えば集熱器１の液体導入用通路１１の片端部を集熱器１の液体導入口６に接続し、液体導出用通路１２の片端部を集熱器１の液体導出口７に接続し、液体導入口６から導入される液体を液体導入用通路１１に導入して該液体導入用通路１１から複数の並設通路１０のそれぞれに導入し、複数の並設通路１０のそれぞれを通過した液体を液体導出用通路１３を介して液体導出口７から導出する構成とすればよい。
【００４２】
なお、この場合にも、集熱器１に、図５（ａ）に示したような位置に集熱器内液温検出手段９を設けることにより、集熱器内液温検出手段９の検出温度に基づき、集熱器１に水蒸気が溜まった状態であるか否かを的確に判断でき、集熱器内液温検出手段９の検出温度が前記水蒸気有り判断設定温度より低くなったときに蒸気抜き動作を停止するように構成することもできる。
【００４３】
さらに、集熱器１に形成する内部液体通路８は、必ずしも複数の並設通路１０と、その一端側に連通して設けられる液体導入用通路１１と、前記複数の並設通路１０の他端側に連通して設けられる液体導出用通路１２とを有するとは限らず、内部液体通路８の形成態様は適宜設定されるものである。
【００４４】
さらに、集熱器内液温検出手段９は、前記実施例では、集熱器１内に設けたが、集熱器１に接続されている液体循環通路３の戻り路３ｂの入口側（集熱器１の近傍の例えば図３の破線Ｂで示す位置）に設けてもよい。
【００４５】
さらに、本発明の熱源装置は、必ずしも図３に示したシステム構成を有しているとは限らず、集熱器１と貯湯槽２とを液体循環通路３を介して熱的に接続して貯湯槽２内の湯水を集熱器１による太陽熱利用によって加熱する構成と、図１に示したような制御構成を有して、集熱器１内の水蒸気を導出する構成を有していれば、その他のシステム構成の詳細は適宜設定されるものである。
【産業上の利用可能性】
【００４６】
本発明の熱源装置は、集熱器の集熱効率低下を防ぐことができて、太陽熱利用を効率的に行えるので、例えば家庭用の熱源装置として利用できる。
【符号の説明】
【００４７】
１，１ａ，１ｂ  集熱器
２          貯湯槽
３          液体循環通路
４，４ａ    貯湯槽内湯水温検出手段
５          液体循環ポンプ
６          液体導入口
７          液体導出口
８          内部液体通路
９          集熱器内液温検出手段
１０        並設通路
１１        液体導入用通路
１２        液体導出用通路
１３，１４  接続路
１５        集熱器ユニット
４１        制御装置
４２        集熱利用貯湯槽湯水加熱制御手段
４３        時計機構
４４        ポンプオンオフ回数検出手段
４５        蒸気抜き制御手段
【図１】
0005694073.tif 000002
【図３】
0005694073.tif 000003
【図４】
0005694073.tif 000004
【図７】
0005694073.tif 000005
【図２】
0005694073.tif 000006
【図５】
0005694073.tif 000007
【図６】
0005694073.tif 000008
【図８】
0005694073.tif 000009